(57)【要約】【課題】タオルハンガーの歪みを防ぐ。【解決手段】タオルハンガー１０は、２本の縦棒１ａと縦棒１ａ間を連結する横棒１ｂとを備えるタオルバー１を複数備えており、一つのタオルバー１の横棒１ｂの長さ方向に垂直な方向に、他のタオルバー１の横棒１ｂが位置している。タオルハンガー１０は、タオルバー１の隣接する縦棒１ａ間を連結し、その縦棒１ａにおける位置が可変である連結部材２をさらに備えている。【選択図】図１
2020078420.tif 000002
【特許請求の範囲】
【請求項１】
２本の縦棒と当該縦棒間を連結する横棒とを備えるタオルバーを複数備え、当該複数のタオルバーは、一つの上記タオルバーの上記横棒の長さ方向に垂直な方向に、他の上記タオルバーの上記横棒が位置するように配置されており、
複数の上記タオルバーの隣接する上記縦棒間を連結し、その上記縦棒の長手方向における位置が可変である連結部材をさらに備えていることを特徴とするタオルハンガー。
【請求項２】
上記連結部材は、複数の上記タオルバーのそれぞれの上記縦棒に対応する窪みを有しており、上記縦棒と上記窪みとの間の少なくとも一部に隙間を有し、上記縦棒が上記窪み内で揺動可能なように上記縦棒に取り付けられていることを特徴とする請求項１に記載のタオルハンガー。
【請求項３】
少なくとも１つの上記タオルバーの上記縦棒の長さが、隣接する他の上記タオルバーの上記縦棒の長さと異なっていることを特徴とする請求項１又は２に記載のタオルハンガー。
【請求項４】
少なくとも１つの上記タオルバーは、その２本の上記縦棒間を連結する連結バーをさらに備えていることを特徴とする請求項１から３のいずれか１項に記載のタオルハンガー。
【発明の詳細な説明】
【技術分野】
【０００１】
本発明はタオルハンガーに関する。
【背景技術】
【０００２】
タオルを掛けて干すタオルバーを複数連結して有し、床面上に直接設置可能なタオルハンガーが従来技術として知られている。
【先行技術文献】
【特許文献】
【０００３】
【特許文献１】意匠類似第８３５１６４−００２号公報（１９９２年５月１３日発行）
【特許文献２】意匠類似第８３５１６４−００３号公報（１９９２年５月１３日発行）
【特許文献３】意匠類似第８３５１６４−００４号公報（１９９２年５月１３日発行）
【特許文献４】意匠登録第９２４８２４号公報（１９９５年５月１６日発行）
【特許文献５】意匠登録１０９４７０４号公報（２０００年１２月２５日発行）
【特許文献６】意匠登録１２６６０８０号公報（２００６年３月２７日発行）
【発明の概要】
【発明が解決しようとする課題】
【０００４】
しかしながら、上述した従来の技術では、タオル等の掛け安さ等の使用勝手やハンガー自体の耐久性に問題がある。例えば、ハンガーに掛けられたタオルの重みに耐えられず、ハンガー自体が歪んでくるという問題がある（特許文献１〜４）。また、複数のタオルバーを、タオルを掛ける横棒に近い位置において連結しているので、タオルを掛けにくいという問題がある（特許文献５及び６）。
【０００５】
本発明の一態様は、タオルバーの歪みを抑え、タオルを掛けやすいタオルハンガーを実現することを目的とする。
【課題を解決するための手段】
【０００６】
上記の課題を解決するために、本発明の一態様に係るタオルハンガーは、２本の縦棒と当該縦棒間を連結する横棒とを備えるタオルバーを複数備え、一つの上記タオルバーの上記横棒の長さ方向に垂直な方向に、他の上記タオルバーの上記横棒が位置するように配置されており、複数の上記タオルバーの隣接する上記縦棒間を連結し、その上記縦棒の長手方向における位置が可変である連結部材をさらに備えていることを特徴としている。
【発明の効果】
【０００７】
本発明の一態様によれば、その縦棒間の位置が可変である連結部材により複数のタオルバーを連結するので、タオルバーの歪みを抑えることができる。
【図面の簡単な説明】
【０００８】
【図１】本発明の一実施形態に係るタオルハンガーの概略を示す斜視図である。
【図２】（ａ）は、本発明の一実施形態に係るタオルハンガーの概略を示す分解上面図であり、（ｂ）は、本発明の一実施形態に係るタオルハンガーの部分断面図である。
【図３】本発明の一実施形態に係るタオルハンガーの正面図である。
【図４】本発明の一実施形態に係るタオルハンガーの背面図である。
【図５】本発明の一実施形態に係るタオルハンガーの上面図である。
【図６】本発明の一実施形態に係るタオルハンガーの底面図である。
【図７】本発明の一実施形態に係るタオルハンガーの側面図である。
【発明を実施するための形態】
【０００９】
以下、本発明の一実施形態について、図１〜７を参照して詳細に説明する。図１は、本発明の一実施形態に係るタオルハンガーの概略を示す斜視図であり、図２中（ａ）は、本発明の一実施形態に係るタオルハンガーの概略を示す分解上面図であり、図２中（ｂ）は、本発明の一実施形態に係るタオルハンガーの部分断面図である。図３は、本発明の一実施形態に係るタオルハンガーの正面図である。図４は、本発明の一実施形態に係るタオルハンガーの背面図であり、図５は、本発明の一実施形態に係るタオルハンガーの上面図であり、図６は、本発明の一実施形態に係るタオルハンガーの底面図であり、図７は、本発明の一実施形態に係るタオルハンガーの側面図である。
【００１０】
図１〜７に示すように、タオルハンガー１０は、タオルバー１及び連結部材２を備えている。タオルハンガー１０は、さらに、脚部３及び連結バー４を備えている。タオルバー１は、２本の縦棒１ａと縦棒１ａ間を連結する横棒１ｂとを備えている。タオルハンガー１０は、複数のタオルバー１を備えている。複数のタオルバー１は、一つのタオルバー１の横棒１ｂの長さ方向に垂直な方向に、他のタオルバー１の横棒１ｂが位置するように配置されている。タオルバー１は、その横棒１ｂが他のタオルバー１の横棒１ｂに略平行になるように配置されていてもよいし、連結部材２により連結され得る限り、その横棒１ｂが他の横棒１ｂに対して斜めになるように配置されていてもよい。
【００１１】
タオルハンガー１０は、脚部３を、例えば床面のような設置面に接するように配置して使用する。タオルハンガー１０は、タオルバー１の横棒１ｂにタオルを掛けることができる。タオルバー１にタオルを掛ける場合、タオルを横棒１ｂの上から差し込んでもよいし、いずれか一方の縦棒１ａ側から差し込んでもよい。
【００１２】
タオルハンガー１０は、狭いスペースであってもできるだけ多くのタオルを干すことができるように、複数のタオルバー１を備えており、その数に制限はない。設置した際の転倒防止効果や外観のバランスを考慮すると、タオルハンガー１０が備えるタオルバー１の数は奇数であることが好ましい。また、利便性や設置場所を考慮すると、タオルハンガー１０が備えるタオルバー１の数は３本であることが好ましい。
【００１３】
タオルハンガー１０は、各部材を独立して備え、使用時に組み立てて使用するようになっていてもよい。したがって、タオルハンガー１０は、販売及び運搬時には、図１に示す各部材が分解された状態でコンパクトに梱包することが可能であり、使用する場所で組み立てて使用することができる。
【００１４】
（タオルバー１）
タオルバー１は、２本の縦棒１ａと横棒１ｂとを、それぞれ独立した部材として備え、使用時に連結して組み立てるようになっていてもよいし、２本の縦棒１ａと横棒１ｂとが一体として形成されたものであってもよい。２本の縦棒１ａと横棒１ｂとのそれぞれの連結部分は、安全性及び美観性の観点から、湾曲していることが好ましい。
【００１５】
タオルバー１は、金属、木材、プラスチック材等により形成されたものであり得るが、設置や持ち運びが容易なように軽量であることが好ましく、また、バスルームのような湿度の高い場所で使用されるため、さびにくい材料により形成されていることが好ましい。このような材料として、例えば、ステンレスが挙げられる。また、タオルバー１は、軽量化のために、中空構造であってもよい。
【００１６】
タオルバー１が備える２本の縦棒１ａのそれぞれの長さは同じであることが好ましく、これにより、縦棒１ａの端部が設置面に接するようにタオルハンガー１０を設置した場合に、横棒１ｂを略水平にして使用することができる。横棒１ｂの長さは、一般的なバスタオルの幅と同等か、これよりもわずかに長くすることで、タオルハンガー１０を狭いバスルームにも設置することができる。
【００１７】
複数のタオルバー１において、それぞれの横棒１ｂの長さは同一であることが好ましい。そして、隣接する複数のタオルバー１間において、それぞれの縦棒１ａの位置がタオルバー１の配列方向に重畳していることが好ましい。これにより、連結部材２による複数のタオルバー１間の連結が容易であると共に、横に飛び出したような位置に縦棒１ａがないので、タオルハンガー１０の省スペース化を実現できる。なお、連結部材２により連結され得る限り、隣接する複数のタオルバー１間において、それぞれの縦棒１ａのタオルバー１の配列方向の位置がズレていてもよい。
【００１８】
少なくとも１つのタオルバー１の縦棒１ａの長さは、隣接する他のタオルバー１の縦棒１ａの長さと異なっていてもよい。これにより、少なくとも１つのタオルバー１の高さが、他のタオルバー１よりも高くなるので、そのタオルバー１にタオルを掛ける際に、他のタオルバー１が邪魔になりにくく、タオルを掛けやすい。
【００１９】
複数のタオルバー１のうち、中央に位置するタオルバー１の縦棒１ａの長さが最も長くてもよいし、外側に位置する一方のタオルバー１から他方の外側のタオルバー１へと徐々に長くなってもよい。例えば、３本のタオルバーを備える場合、図１に示すように、中央のタオルバー１が他の２本のタオルバー１よりも高くてもよいし、手前から奥に向かってタオルバー１の高さが徐々に高くなっていてもよい。
【００２０】
複数のタオルバー１間の間隔は、狭すぎると各タオルバー１にタオルを差し込みにくくなり、広すぎると場所を取ってしまいタオルハンガー１０の省スペース化を実現できないため、これらを考慮して適切な間隔にすればよい。また、複数のタオルバー１は、等間隔に配置されていてもよいし、間隔がそれぞれ異なっていてもよい。
【００２１】
少なくとも１つのタオルバー１は、その２本の縦棒１ａ間を連結する連結バー４をさらに備えていてもよく、これによりタオルバー１の歪みを防ぐことができる。他のタオルバー１よりも縦棒１ａの長さが長いタオルバー１のみが連結バー４を備えていてもよいし、全てのタオルバー１が連結バー４を備えていてもよい。連結バー４は、横棒１ｂと同じ長さで、横棒１ｂと平行に設けられていることが好ましい。
【００２２】
連結バー４はタオルバー１と同一の材料により形成してもよいが、例えば、連結バー４のみを木目調にする等して、タオルバー１と連結バー４とで色や質感を異ならせ、美観を高めてもよい。また、複数のタオルバー１が連結バー４を備える場合には、その縦棒１ａの延伸方向の位置は、同一であっても異なっていてもよい。連結バー４は、縦棒１ａにネジ止めされてもよいが、ネジが露出して美観を損ねることがないように固定されていることが好ましい。
【００２３】
（連結部材２）
連結部材２は、複数のタオルバー１の隣接する縦棒１ａ間を連結する。連結部材２を備えていることで、タオルバー１の歪みを抑えることができるので、例えば、タオルハンガー１０が一体成型されたものではなく、独立して成形された部品を組み立てて使用する組立品である場合であっても、堅牢性を確保することができる。連結部材２は、図２中（ａ）に示すように、複数のタオルバー１のそれぞれの縦棒１ａに対応する窪み２ａを有しており、この窪み２ａに縦棒１ａを嵌め込むことで、縦棒１ａに取り付けられている。
【００２４】
窪み２ａは、円柱形状の縦棒１ａの外周に沿う円弧形状であり、その始点から終点までの距離は縦棒１ａの円周の少なくとも半分以上であり得る。連結部材２は、図２中（ａ）の矢印に示すように、窪み２ａの円弧の始点と終点との間の空隙側から縦棒１ａに押し付けることで、空隙が広がるように撓み、窪み２ａ内に縦棒１ａが嵌め込まれる。連結部材２は、縦棒１ａに押し付けた時に窪み２ａの空隙が広がるように、可撓性を有する材料により形成されていればよく、例えば、樹脂を成型加工したものであってもよい。
【００２５】
連結部材２は、縦棒１ａに取り外し可能なように取り付けられているので、例えば、タオルハンガー１０の組み立て時に、縦棒１ａの任意の位置に取り付け、使用中にその取り付け位置を変えるというように、縦棒１ａの長手方向におけるその位置が可変である。したがって、タオルバー１の歪みをより防ぐために、連結部材２を縦棒１ａのより上の方に取り付けておき、タオルを掛ける際に横からタオルを挿入することができるように連結部材２の位置を縦棒１ａのより下の方に移動させてもよい。
【００２６】
これにより、そのタオルバー１に掛けられるタオルの大きさによって、連結部材２の取り付け位置を選択することができ、利用者の使い勝手を配慮することができる。また、更に連結部材２の取り付け位置を変えることで、タオルハンガー１０の特定箇所に働く力を抑えることができる。
【００２７】
連結部材２は、図２中（ｂ）に示すように、窪み２ａと縦棒１ａとの間の少なくとも一部に隙間２ｂを有していてもよい。連結部材２の窪み２ａに縦棒１ａが嵌め込まれ、縦棒１ａが窪み２ａ内で揺動できないように連結されていると、その連結部分に働く力が連結されているタオルバー１の全体に伝わり、タオルバー１が引っ張られて歪む可能性がある。窪み２ａと縦棒１ａとの間の少なくとも一部に遊び、すなわち隙間２ｂを有していれば、連結部分にゆとりができ、隙間２ｂの分だけ縦棒１ａが窪み２ａ内で揺動することができる。すなわち、連結部材２は、縦棒１ａと窪み２ａとの間の少なくとも一部に隙間２ｂを有し、縦棒１ａが窪み２ａ内で揺動可能なように縦棒１ａに取り付けられている。これにより、連結部分に働く力が連結されているタオルバー１の全体に伝わることを防ぎ、タオルバー１の特定箇所に働く力が抑えられ、タオルバー１の歪みを防ぐことができる。
【００２８】
連結部材２は、タオルバー１のいずれか一方の縦棒１ａに取り付けられていてもよいし、両方の縦棒１ａに取り付けられてもよい。また、連結部材２は、タオルバー１のいずれか一方の縦棒１ａに複数取り付けられていてもよい。
【００２９】
（脚部３）
脚部３は、複数のタオルバー１の配列方向に延伸し、当該配列方向に重畳する複数の縦棒１ａの全てを連結するように設けられている。脚部３には、縦棒１ａを連結して、例えばネジ止めするためのネジ穴が設けられており、脚部３の設置面に背向する側に縦棒１ａを接続し、脚部３の設置面側からネジを差し込んでネジ止めするようになっていてもよい。脚部３は、タオルバー１と同じ材料により形成されていてもよいし、異なる材料により形成することもできる。
【００３０】
また、例えばタオルハンガー１０を床に設置した場合に、縦棒１ａを脚部３にネジ止めするネジが、床にあたって床材を傷つけないように、脚部３のネジ穴部分が窪んでいることが好ましい。さらに、タオルハンガー１０の転倒を防止するために、脚部３は、最も外側に位置するタオルバー１の脚部３よりも外側まで延伸していることが好ましい。
【００３１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００３２】
１    タオルバー
１ａ  縦棒
１ｂ  横棒
２    連結部材
２ａ  窪み
２ｂ  隙間
３    脚部
４    連結バー
１０  タオルハンガー
【図１】
2020078420.tif 000003
【図２】
2020078420.tif 000004
【図３】
2020078420.tif 000005
【図４】
2020078420.tif 000006
【図５】
2020078420.tif 000007
【図６】
2020078420.tif 000008
【図７】
2020078420.tif 000009